(57)【要約】      （修正有）【課題】頭部を効率よく冷却可能な頭部装着具を提供する。【解決手段】頭部装着部本体２に冷却装置２１が設けられている、頭部装着具であり、表地と裏地により保持嚢２２が形成され、保持嚢の内部に冷却装置が設けられ、保持嚢を構成する表地が、通気性を有する。冷却装置は、頭部装着具を装着したときの額部分に設けられ、頭部装着部本体の内側方向に向けて、冷却装置で発生させた冷気を頭部に伝達するための熱伝導性部材を備える。また、頭部装着具は、頭周りの内側円周を調節するアジャスター部２５と、アジャスター部に設けられ、冷却装置に電力を供給する電源供給手段３と、電源供給手段と冷却装置を電気的に接続する送電手段３１と、を備える。【選択図】図１０
0003221309.tif 000002
【実用新案登録請求の範囲】
【請求項１】
頭部装着部本体に冷却装置が設けられていることを特徴とする、頭部装着具。
【請求項２】
前記頭部装着部本体に、表地と裏地により画成された保持嚢が形成されており、
前記保持嚢の内部に前記冷却装置が設けられており、
前記保持嚢を構成する表地が、通気性を有することを特徴とする、請求項１に記載の頭部装着具。
【請求項３】
前記保持嚢を構成する表地がメッシュ材であることを特徴とする、請求項２に記載の頭部装着具。
【請求項４】
前記冷却装置は、頭部装着具を装着したときの額部分に設けられていることを特徴とする、請求項１〜３の何れか一項に記載の頭部装着具。
【請求項５】
前記冷却装置は、前記頭部装着部本体の内側方向に向けて、前記冷却装置で発生させた冷気を頭部に伝達するための熱伝導性部材を備えていることを特徴とする、請求項１〜４の何れか一項に記載の頭部装着具。
【請求項６】
頭部装着具の頭周りの内側円周を調節するアジャスター部と、
前記アジャスター部に設けられた、前記冷却装置に電力を供給する電源供給手段と、
前記電源供給手段と前記冷却装置を電気的に接続する送電手段と、
を備えることを特徴とする、請求項１〜５の何れか一項に記載の頭部装着具。
【請求項７】
請求項１〜６の何れか一項に記載の頭部装着具と、電源供給手段を充電するための充電手段と、を備える頭部装着具セットであって、
前記頭部装着具は、前記冷却装置に電力を供給する電源供給手段と、前記電源供給手段と前記冷却装置を電気的に接続する送電手段と、を備え、
前記送電手段は、互いに脱着可能である、前記冷却装置より伸びる第１送電手段の端子と、前記電源供給手段より伸びる第２送電手段の端子と、の接続により構成され、
前記第２送電手段の端子は、前記充電手段に設けられた充電手段端子と、接続可能であることを特徴とする、頭部装着具セット。
【考案の詳細な説明】
【技術分野】
【０００１】
本考案は頭部装着具に関する。
【背景技術】
【０００２】
釣り、ゴルフ、旅行、レジャー、スポーツ、空調機器のない環境、等において、暑さを凌ぐための工夫が求められている。
【０００３】
従来、熱中症対策用の帽子として、メッシュ素材を用いて通気性を向上させ、頭部の蒸れを軽減するものがあった（特許文献１）。
また、帽子に扇風機を付設し、顔に風をあてることにより、頭部を冷却するものがあった（特許文献２）。
【０００４】
ところで、特許文献３には、帽子に装着可能な冷却装置が開示されている。
【先行技術文献】
【特許文献】
【０００５】
【特許文献１】実用新案登録第３１３４１４３号
【特許文献２】実用新案登録第３０２８９８４号
【特許文献３】実用新案登録第３０２２１３２号
【考案の概要】
【考案が解決しようとする課題】
【０００６】
上記先行技術のあるところ、本考案は、頭部を効率よく冷却可能な頭部装着具を提供することを課題とする。
【課題を解決するための手段】
【０００７】
上記課題を解決する本考案は、頭部装着部本体に冷却装置が設けられていることを特徴とする、頭部装着具である。
頭部装着部本体に冷却装置が設けられていることで、着用者の頭部を効率よく冷却することができる。
【０００８】
また、本考案の帽子の好ましい実施の形態では、前記頭部装着部本体に、表地と裏地により画成された保持嚢が形成されており、
前記保持嚢の内部に前記冷却装置が設けられており、
前記保持嚢を構成する表地が、通気性を有することを特徴とする。
前述の形態とすることで、冷却装置自体の熱をより効率よく放出することができ、着用者の頭部を効率よく冷却することができる。
【０００９】
また、本考案の帽子の好ましい実施の形態では、前記保持嚢を構成する表地がメッシュ材であることを特徴とする。
前述の形態とすることで、冷却装置自体の熱をより効率よく放出することができ、着用者の頭部を効率よく冷却することができる。
【００１０】
また、本考案の帽子の好ましい実施の形態では、前記冷却装置は、頭部装着具を装着したときの額部分に設けられていることを特徴とする。
前述の形態とすることで、着用者の頭部を効率よく冷却することができる。
【００１１】
また、本考案の帽子の好ましい実施の形態では、前記冷却装置は、前記頭部装着部本体の内側方向に向けて、前記冷却装置で発生させた冷気を頭部に伝達するための熱伝導性部材を備えていることを特徴とする。
前述の形態とすることで、冷却装置からの冷気を効率よく広範囲に伝達することができ、着用者の頭部を効率よく冷却することができる。
【００１２】
また、本考案の帽子の好ましい実施の形態では、頭部装着具の頭周りの内側円周を調節するアジャスター部と、
前記アジャスター部に設けられた、前記冷却装置に電力を供給する電源供給手段と、
前記電源供給手段と前記冷却装置を電気的に接続する送電手段と、
を備えることを特徴とする。
前述の形態とすることで、バッテリー部をアジャスター部に収容することができるため、帽子全体をより洗練された形状に設計することができる。
【００１３】
また、本考案は、前述の頭部装着具と、前記電源供給手段を充電するための充電手段と、を備える頭部装着具セットであって、
前記頭部装着具は、前記冷却装置に電力を供給する電源供給手段と、前記電源供給手段と前記冷却装置を電気的に接続する送電手段と、を備え、
前記送電手段は、互いに脱着可能である、前記冷却装置より伸びる第１送電手段の端子と、前記電源供給手段より伸びる第２送電手段の端子と、の接続により構成され、
前記第２送電手段の端子は、前記充電手段に設けられた第３の送電手段の端子と、接続可能であることを特徴とする、頭部装着具セットでもある。
【考案の効果】
【００１４】
本考案によれば、頭部を効率よく冷却可能な帽子を提供することができる。
【図面の簡単な説明】
【００１５】
【図１】本実施例の頭部装着具（キャップ）を示す図（正面図）である。
【図２】本実施例の頭部装着具（キャップ）を示す図（背面図）である。
【図３】本実施例の頭部装着具（キャップ）を示す図（平面図）である。
【図４】本実施例の頭部装着具（キャップ）を示す図（底面図）である。
【図５】本実施例の頭部装着具（キャップ）を示す図（右側面図）である。
【図６】本実施例の頭部装着具（キャップ）を示す図（左側面図）である。
【図７】本実施例の頭部装着具（キャップ）を示す図（斜視図）である。
【図８】本実施例の頭部装着具（キャップ）を示す図（他の方向から見た斜視図）である。
【図９】本実施例の頭部装着部本体（クラウン部）に設けられた熱伝導部材を示す参考底面斜視図である。
【図１０】ａ）本実施例の頭部装着具（キャップ）の内部構造を示す参考底面斜視図である。ｂ）本実施例の頭部装着具（キャップ）の内部構造を示す参考正面図である。
【図１１】本実施例の頭部装着具（キャップ）の充電の様子を示す参考透過図である。
【図１２】本実施例の頭部装着具（キャップ）のバッテリーの取付機構を示す図である。
【図１３】本実施例の頭部装着具（キャップ）の着用状態を示す参考図である。
【考案を実施するための形態】
【００１６】
本考案の頭部装着具１は、頭部装着部本体２に冷却装置２１が設けられていることを特徴とする。
なお、本明細書において、「頭部装着部本体２」は、頭部装着具１における、頭全体を覆う箇所を指す。
【００１７】
ここで、本考案の頭部装着具の具体的形態は特に限定されず、クラウン部（頭部装着部本体２）の前部にツバの設けられた帽子（キャップ）、クラウン部（頭部装着部本体２）の外周にツバ設けられた帽子（ハット）、ヘルメット、サンバイザー、ヘアバンド、ターバン、マスクの何れであってもよい。
【００１８】
以下、本考案を、キャップ（本考案における頭部装着具１に相当。以下、頭部装着具１と表記。）に適用した場合について、図１〜図１３を参照しつつ詳細に説明する。
なお、本考案の技術的範囲は実施例に限定されないことはいうまでもない。
【００１９】
本実施例の頭部装着具１は、クラウン部（本考案における頭部装着部本体２に相当。以下、頭部装着部本体２と表記。）における、頭部装着具１をかぶったときの額部分に、空冷式冷却装置（本考案における冷却装置２１に相当。以下、冷却装置２１と表記。）が設けられている。
【００２０】
上記の位置に冷却装置２１が設けられていることで、頭部装着具１の着用者頭部をより効率よく冷却することができる。
【００２１】
ただし、頭部装着具１に設けられた冷却装置２１の位置に特に制限はなく、頭部装着部本体２に冷却装置２１が設けられている形態であればよい。
【００２２】
また、本実施例において、冷却装置２１は、頭部装着具１の表地と裏地により画成された保持嚢２２に、設けられている。
そして、保持嚢２２を構成する表地（以下、保持嚢構成表地２２１と表記。）が、メッシュ材である。
前述の形態とすることで、冷却装置２１自体の熱を放出することができ、着用者の頭部をより効率よく冷却することができる。
また、保持嚢構成表地２２１がメッシュ材であることで、頭部装着具１の外観を他の帽子（冷却機能を備えない帽子）と異なるものとすることができ、頭部装着具１と他の帽子（冷却機能を備えない帽子）との区別をより簡便にすることができる。
【００２３】
ただし、保持嚢構成表地２２１は、通気性を有するものであれば、その材質に特に制限はない。
【００２４】
ここで、本実施例において、保持嚢２２には、保持嚢構成表地２２１と、保持嚢２２を構成する裏地（以下、保持嚢構成裏地２２２と表記。）との縫合を一部しないことにより、開口部（以下、冷却装置用開口部２２３と表記。）が形成されている（図９  参照）。
【００２５】
冷却装置用開口部２２３を備える形態とすることで、冷却装置２１を頭部装着具１から取り外すことができ、簡便に、頭部装着具１を洗濯することができる。
【００２６】
ここで、保持嚢２２が冷却装置用開口部２２３を備える形態であれば、その機構、構成に特に制限はない。
【００２７】
本実施例において、冷却装置２１は、空冷式冷却装置である。
空冷式冷却装置としては、ＣＰＵ空冷クーラーを好ましく挙げることができる。
ただし、冷却装置は、冷却機能を有する装置であれば、その構成に特に制限はない。
【００２８】
ここで、冷却装置２１は、その冷却温度を調温可能なものであることが好ましい。
【００２９】
冷却装置２１がその冷却温度を調温可能なものである場合の、調温段階は、好ましくは２段階、より好ましくは３段階である。
【００３０】
また、本実施例において、冷却装置２１は、薄板状の金属部材（本考案における熱伝導性部材２１１に相当。以下、熱伝導性部材２１１と表記。）を備える。
そして、熱伝導性部材２１１は、頭部装着部本体２の内側方向に向けて、冷却装置２１で発生させた冷気を頭部に伝達するための部材である。
前述の形態とすることで、冷却装置２１からの冷気を広範囲に伝達することができ、着用者の頭部を効率よく冷却することができる。
【００３１】
また本実施例において、熱伝導性部材２１１は、頭部装着部本体２に沿うよう、湾曲している。
前述の形態とすることで、着用者の頭部と熱伝導性部材２１１との接触を軽減することができ、着用者の頭部をより効率よく冷却することができる。
【００３２】
ここで、熱伝導性部材２１１は、熱伝導性を有する部材であれば、必ずしも、金属部材でなくてもよい。
【００３３】
本実施例において、頭部装着具１は、冷却装置２１の冷却温度を調温可能なスイッチ２３を頭部装着部本体２に備える。
前述の形態とすることで、着用者の状態に合わせ、冷却装置２１の温度を調整することができる。
また、スイッチ２３が頭部装着部本体２に設けられていることで、着用者は、より簡便に冷却装置２１の冷却温度を調温することができる。
【００３４】
ここで、スイッチ２３は、必ずしも調温可能なものである必要はなく、例えば、冷却装置２１のオンオフのみを切り替えることのできるものであってもよい。
また、スイッチ２３の位置、大きさ、機構にも、特に制限はない。
【００３５】
また、本実施例において、冷却装置２１とスイッチ２３とは、コード（本考案における送電手段３１に相当。以下、送電手段３１と表記。）により電気的に接続されている。
【００３６】
ただし、送電手段３１は、スイッチ２３を用い冷却装置２１を調温可能とするものであれば、その機構に特に制限はない。
【００３７】
また、本実施例において、バッテリー（本考案における電源供給手段３に相当。以下、電源供給手段３と表記。）をアジャスター部２５に備え、冷却装置２１と電源供給手段３とが送電手段３１により電気的に接続されている。
【００３８】
ここで、アジャスター部２５は、頭部装着具１の頭周りの内側円周を調節する部材である。
本実施例のアジャスター部２５は、一方のテープ部材に設けられた面ファスナーと他方のテープ部材に設けられた面ファスナーを所望の位置で貼付させることにより頭部装着具１の頭周りの内側円周を調節する形式のアジャスター部である。
【００３９】
ただし、アジャスター部２５の具体的形態は特に限定されず、例えば、スライド式のアジャスター部、一方のテープ部材に設けられた穴と他方のテープ部材に設けられた凸部とを嵌め込むことにより頭部装着具１の頭周りの内側円周を調節する形式のアジャスター部、であってもよい。
【００４０】
ここで、アジャスター部２５が面ファスナーを所望の位置で貼付させることにより頭部装着具１の頭周りの内側円周を調節する形式のアジャスター部である場合には、電源供給手段３は、頭部装着具１の外側に配置されるアジャスター部２５に設けられていることが好ましい。
上記の形態とすることで、着用者の頭部に電源供給手段３を干渉させることがない。
【００４１】
電源供給手段３をアジャスター部２５に備え、冷却装置２１と電源供給手段３とが送電手段３１により電気的に接続されていることで、頭部装着具１全体をより洗練された形状に設計することができる。
【００４２】
また、電源供給手段３は、アジャスター部２５に設けられた面ファスナーに貼付することにより、着脱可能に配置されている。
電源供給手段３がアジャスター部２５に着脱可能に備えられていることで、電源供給手段３の取り換えを容易にすることができる。
また、電源供給手段３を取り外すことができ、頭部装着具１を洗濯することができる。
【００４３】
ただし、本考案においては、電源供給手段３は、着脱可能に設けられている必要はない。
【００４４】
また、本実施例の頭部装着具１において、頭部装着部本体２は、送電手段３１を通すための通孔部（以下、送電手段用通孔部２４と表記。）を、頭部装着部本体２とアジャスター部２５との連結部分に備える。
上述の形態とすることで、電源供給手段３をより簡便に取り外すことができる。
また、送電手段用通孔部２４を備えることで、送電手段３１を帽子内側に配置することができる。そして、送電手段３１を帽子内側に配置することができるため、頭部装着具１全体をより洗練された形状に設計することができる。
【００４５】
また、本実施例において、送電手段３１は、充電器（本考案における充電手段４に相当。以下、充電手段４と表記。）が備える充電端子４１に接続可能な端子（本考案における第２送電手段端子３１２に相当。以下、第２送電手段端子３１２と表記。）を有する。
送電手段３１が第２送電手段端子３１２を有することで、簡便に充電することができる（図１１  参照）。
【００４６】
本実施例において、送電手段３１は、頭部装着部本体２とスベリ部２６との間に収容されている。
前述の形態とすることで、送電手段３１を頭部装着部本体２とスベリ部２６との間に収容することができ、着用者の頭部に送電手段３１を干渉させることがない。そして、着用者の頭部に干渉させないよう送電手段３１を配置することができるため、頭部装着具１全体をより洗練された形状に設計することができる。
【００４７】
また、本考案は、前述の頭部装着具１と、電源供給手段３を充電するための充電手段４と、を備える頭部装着具セットであって、
頭部装着具１は、冷却装置２１に電力を供給する電源供給手段３と、電源供給手段３と冷却装置２１を電気的に接続する送電手段３１と、を備え、
送電手段３１は、互いに脱着可能である、冷却装置２１より伸びる第１送電手段の端子（第１送電手段端子３１１）と、前記電源供給手段より伸びる第２送電手段の端子（第２送電手段端子３１２）と、の接続により構成され、
第２送電手段端子３１２は、充電手段４に設けられた充電端子４１と、接続可能であることを特徴とする、頭部装着具セットとすることもできる。
【００４８】
ここで、頭部装着具セットにおける好ましい実施の形態は、前述の頭部装着具１の技術事項を準用することができる。
【００４９】
以下、図１１〜図１３を参照し、本実施例の頭部装着具１の使用方法について、詳述する。
【００５０】
着用者は、事前に、第２送電手段端子３１２と充電端子４１とを接続し、充電手段４をコンセントに指すことで、電源供給手段３の充電を行う。
充電した電源供給手段３と、冷却装置２１とを、第２送電手段端子３１２と第１送電手段端子連結することにより、電気的に接続する（図１１  参照）。
【００５１】
頭部装着具１を被り、頭部装着部本体２に設けられたスイッチ２３を用い、冷却装置２１の調温をおこなう（図１３  参照）。
【００５２】
このように、本実施例の頭部装着具１を用いることで、着用者は、釣り、ゴルフ、旅行、レジャー、スポーツ、空調機器のない環境、等において、暑さを凌ぐことができる。
【符号の説明】
【００５３】
１            頭部装着具
２            頭部装着部本体
２１          冷却装置
２１１        熱伝導性部材
２２          保持嚢
２２１        保持嚢構成表地
２２２        保持嚢構成裏地
２２３        冷却装置用開口部
２３          スイッチ
２４          送電手段用通孔部
２５          アジャスター部
２６          スベリ部
３            電源供給手段
３１          送電手段
３１１        第１送電手段端子
３１２        第２送電手段端子
４            充電手段
４１          充電端子
【図１】
0003221309.tif 000003
【図２】
0003221309.tif 000004
【図３】
0003221309.tif 000005
【図４】
0003221309.tif 000006
【図５】
0003221309.tif 000007
【図６】
0003221309.tif 000008
【図７】
0003221309.tif 000009
【図８】
0003221309.tif 000010
【図９】
0003221309.tif 000011
【図１０】
0003221309.tif 000012
【図１１】
0003221309.tif 000013
【図１２】
0003221309.tif 000014
【図１３】
0003221309.tif 000015